(57)【特許請求の範囲】
【請求項１】
天板と前記天板を支持して床面に起立する脚体とを備える家具本体と、物品を収容可能な物品収容空間を形成する棚本体と、を組み合わせてなる天板付き家具であって、
前記棚本体は、
前記物品収容空間の下側に位置する第１の係合部と、
前記物品収容空間の上側に位置する第２の係合部と、
前記第１の係合部の位置から前記第２の係合部の位置に亘って、前記物品収容空間の奥行方向の奥側を閉じる閉塞部と、を備え、
前記家具本体は、前記物品収容空間が前記天板よりも前記脚体の起立方向の上側に位置し且つ前記天板の奥行方向の奥側から手前側に向かって開口する第１の状態の場合、前記第１の係合部と着脱可能に係合され、前記物品収容空間が前記天板よりも前記起立方向の下側に位置し且つ前記天板の奥行方向の奥側から手前側に向かって開口する第２の状態の場合、前記第２の係合部と着脱可能に係合される被係合部を、前記脚体および前記天板の少なくとも一方の奥行方向の奥側に備え、
前記第１の係合部または前記第２の係合部と前記被係合部との係合によって、前記第１の状態と前記第２の状態とが択一的に選択されることを特徴とする天板付き家具。
【請求項２】
前記家具本体は、前記第２の状態の場合、前記物品収容空間の底面よりも前記起立方向の上側に突出して、前記物品収容空間の開口の下側一部分を遮蔽する遮蔽部を備えたことを特徴とする請求項１に記載の天板付き家具。
【請求項３】
前記第２の係合部は、前記物品収容空間の上側に形成される上段の物品収容空間の底面をなす上棚板であることを特徴とする請求項１または２に記載の天板付き家具。
【請求項４】
前記被係合部は、前記天板の上面から前記起立方向に凹む段差状に形成されることを特徴とする請求項１〜３のいずれか一つに記載の天板付き家具。
【請求項５】
前記被係合部は、
前記天板の奥行方向の奥端部と、
前記脚体の上端部のうち前記奥端部よりも前記天板の奥行方向の奥側に位置する奥上端部と、
を備えたことを特徴とする請求項４に記載の天板付き家具。
【発明の詳細な説明】
【技術分野】
【０００１】
本発明は、天板を有する天板付き家具に関する。
【背景技術】
【０００２】
従来、左右一対の脚体の上部に天板が支持された構造を有する机本体と、書籍等の物品を収容する棚本体とを組み合わせて構成される棚付き机等の天板付き家具が公知である（例えば、特許文献１参照）。このような天板付き家具においては、机作業（デスクワーク等）の用途、学習室またはリビングルーム等の使用場所、あるいは使用者の好みに応じて、天板付き家具内における棚本体の高さ（以下、棚高さと適宜略す）を調節できることが要望されている。
【０００３】
天板付き家具内の棚高さは、一般に、机本体の天板上面等に取り付けられた棚本体の床面からの高さによって決定される。それ故、机本体と棚本体とを組み替えて、天板に対する棚本体の高さ方向の位置を変更することにより、天板付き家具内の棚高さを調節することが可能である。
【０００４】
例えば、特許文献１に記載の棚付き机において、棚本体は、通常、机本体の後側辺部上面に立設するよう、天板の左右の各天側板に着脱可能に取り付けられる。この際、棚本体は、机本体の天板の上方に棚板を位置させている。一方、棚本体は、机本体から取り外され、前後逆向きに反転された後、各天側板の後端部から突出する各ボルトに掛けられる。この際、棚本体は、天板の奥行方向の奥側に棚板を位置させるとともに、これら天板および棚板の各上面が連続した一面を形成する姿勢となる。これにより、天板に対する棚本体の高さが通常時に比べて低くなり、この結果、棚付き机（すなわち天板付き家具）内の棚高さを低く調節することができる。
【先行技術文献】
【特許文献】
【０００５】
【特許文献１】実公昭５７−３３８０１号公報
【発明の概要】
【発明が解決しようとする課題】
【０００６】
しかしながら、上述した特許文献１に記載の従来技術では、天板の上側に棚本体が立設した状態において、この棚本体の棚板下方の空間を、物品を収容する物品収容空間として活用可能であったが、天板付き家具内の棚高さを低く調節した際、この棚本体の棚板下方の空間を物品収容空間として有効活用することが困難になる。すなわち、天板付き家具内の棚高さの調節に伴い、天板の下側に位置する棚本体の空間が無駄になってしまう。
【０００７】
本発明は、上記に鑑みてなされたものであって、棚本体の物品収容空間を無駄にすることなく、棚高さの調節を行うことができる天板付き家具を提供することを目的とする。
【課題を解決するための手段】
【０００８】
上述した課題を解決し、目的を達成するために、本発明にかかる天板付き家具は、天板と前記天板を支持して床面に起立する脚体とを備える家具本体と、物品を収容可能な物品収容空間を形成する棚本体と、を組み合わせてなる天板付き家具であって、前記棚本体は、前記物品収容空間の下側に位置する第１の係合部と、前記物品収容空間の上側に位置する第２の係合部と、前記第１の係合部の位置から前記第２の係合部の位置に亘って、前記物品収容空間の奥行方向の奥側を閉じる閉塞部と、を備え、前記家具本体は、前記物品収容空間が前記天板よりも前記脚体の起立方向の上側に位置し且つ前記天板の奥行方向の奥側から手前側に向かって開口する第１の状態の場合、前記第１の係合部と着脱可能に係合され、前記物品収容空間が前記天板よりも前記起立方向の下側に位置し且つ前記天板の奥行方向の奥側から手前側に向かって開口する第２の状態の場合、前記第２の係合部と着脱可能に係合される被係合部を、前記脚体および前記天板の少なくとも一方の奥行方向の奥側に備え、前記第１の係合部または前記第２の係合部と前記被係合部との係合によって、前記第１の状態と前記第２の状態とが択一的に選択されることを特徴とする。
【０００９】
また、本発明にかかる天板付き家具は、上記の発明において、前記家具本体は、前記第２の状態の場合、前記物品収容空間の底面よりも前記起立方向の上側に突出して、前記物品収容空間の開口の下側一部分を遮蔽する遮蔽部を備えたことを特徴とする。
【００１０】
また、本発明にかかる天板付き家具は、上記の発明において、前記第２の係合部は、前記物品収容空間の上側に形成される上段の物品収容空間の底面をなす上棚板であることを特徴とする。
【００１１】
また、本発明にかかる天板付き家具は、上記の発明において、前記被係合部は、前記天板の上面から前記起立方向に凹む段差状に形成されることを特徴とする。
【００１２】
また、本発明にかかる天板付き家具は、上記の発明において、前記被係合部は、前記天板の奥行方向の奥端部と、前記脚体の上端部のうち前記奥端部よりも前記天板の奥行方向の奥側に位置する奥上端部と、を備えたことを特徴とする。
【発明の効果】
【００１３】
本発明によれば、棚本体の物品収容空間を無駄にすることなく、天板付き家具内の棚高さの調節を行うことができるという効果を奏する。
【図面の簡単な説明】
【００１４】
【図１】図１は、本発明の実施の形態にかかる天板付き家具の一状態の構成例を示す斜視図である。
【図２】図２は、本発明の実施の形態にかかる天板付き家具の別状態の構成例を示す斜視図である。
【図３】図３は、本発明の実施の形態にかかる天板付き家具を机本体と棚本体とに分解した状態を示す斜視図である。
【図４】図４は、本発明の実施の形態における机本体の一構成例を示す後方斜視図である。
【図５】図５は、本発明の実施の形態における棚本体の一構成例を示す正面図である。
【図６】図６は、本発明の実施の形態における棚本体の一構成例を示す側面図である。
【図７】図７は、本発明の実施の形態における棚本体の一構成例を示す下面図である。
【図８】図８は、本発明の実施の形態にかかる天板付き家具の第１机状態の一例を示す正面図である。
【図９】図９は、図８に示す第１机状態の天板付き家具のＡ−Ａ線断面図である。
【図１０】図１０は、本発明の実施の形態にかかる天板付き家具の第２机状態の一例を示す正面図である。
【図１１】図１１は、図１０に示す第２机状態の天板付き家具のＢ−Ｂ線断面図である。
【図１２】図１２は、組替作業時の机本体と棚本体との接合を説明する図である。
【発明を実施するための形態】
【００１５】
以下に、添付図面を参照して、本発明にかかる天板付き家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１６】
（天板付き家具の構成）
まず、本発明の実施の形態にかかる天板付き家具の構成について説明する。図１は、本発明の実施の形態にかかる天板付き家具の一状態の構成例を示す斜視図である。図２は、本発明の実施の形態にかかる天板付き家具の別状態の構成例を示す斜視図である。図３は、本発明の実施の形態にかかる天板付き家具を机本体と棚本体とに分解した状態を示す斜視図である。図１〜３に示すように、本発明の実施の形態にかかる天板付き家具１は、自立式の机としての機能を有する机本体２と、物品を収容可能な棚本体３とを備え、これらを用途に応じた状態に組み合わせてなる。
【００１７】
机本体２は、天板付き家具１の机機能の主体を担う家具本体の一例である。本実施の形態において、机本体２は、図１〜３に示すように、天板２１および脚体２２等を備える。天板２１は、天板付き家具１が机として使用される際の机上面を形成する平板部材である。脚体２２は、机本体２の自立（延いては天板付き家具１の自立）を可能にする構造体であり、自身の上端部に天板２１を支持して床面に起立する。また、机本体２は、図３に示すように、脚体２２および天板２１の奥行方向Ｆ１の奥側に、被係合部２０ａ，２０ｂを備える。被係合部２０ａ，２０ｂは、棚本体３における第１の係合部または第２の係合部と着脱可能に係合され、この棚本体３を、机本体２の起立方向Ｆ３に受けて着脱可能に支持する。なお、これら第１の係合部および第２の係合部の詳細については、後述する。
【００１８】
棚本体３は、天板付き家具１の棚機能の主体を担う棚構造体である。本実施の形態において、棚本体３は、上下２段式の棚構造体であり、図１〜３に示すように、互いに脚体２２の起立方向Ｆ３に面対向して離間する下棚板３１および上棚板３２等を備える。下棚板３１および上棚板３２は、各々、天板２１の奥行方向Ｆ１についての寸法（以下、奥行寸法と適宜いう）が互いに異なる棚板である。具体的には、図１〜３に示すように、上棚板３２は、下棚板３１に比して長い奥行寸法を有する。また、棚本体３は、下棚板３１と上棚板３２との間に、物品を収容可能な物品収容空間１３を形成する。
【００１９】
このような棚本体３は、天板付き家具１内における棚高さの調節のために、上述した机本体２に対して組み替え（付け替え）可能である。すなわち、棚本体３は、天板付き家具１の用途、使用場所、または使用者の好みに応じた棚高さの調節を行うべく第１机状態と第２机状態とが択一的に選択されるように、机本体２の被係合部２０ａ，２０ｂに支持されて、脚体２２に対し着脱可能に固定される。ここで、第１机状態は、図１に示すように、棚本体３の物品収容空間１３が机本体２の天板２１よりも起立方向Ｆ３の上側に位置し且つ天板２１の奥行方向Ｆ１の奥側から手前側に向かって開口する構成となる天板付き家具１の使用状態（第１の状態）である。第２机状態は、図２に示すように、棚本体３の物品収容空間１３が机本体２の天板２１よりも起立方向Ｆ３の下側に位置し且つ天板２１の奥行方向Ｆ１の奥側から手前側に向かって開口する構成となる天板付き家具１の使用状態（第２の状態）である。
【００２０】
（机本体の構成）
つぎに、本実施の形態における机本体２の構成について説明する。図４は、本発明の実施の形態における机本体の一構成例を示す後方斜視図である。図４に示すように、本実施の形態における机本体２は、机上面をなす天板２１と、天板２１等を支持して起立する脚体２２と、物品を収容可能な引き出しユニット２３とを備える。また、机本体２は、引き出しユニット２３を支持する引き出し支持体２４と、幕板２５と、脚体２２を補強する脚補強体２６と、物品を吊り下げ可能なフック２７とを備える。さらに、机本体２は、脚体２２の上端部のうち奥行方向Ｆ１の奥側の上端部、すなわち奥上端部２２ｃ，２２ｄに、上述した棚本体３を着脱可能に接合するための突起部２８ａ，２８ｂおよび挿入孔２９ａ，２９ｂを備える。
【００２１】
天板２１は、机の天板等のように、使用者が天板付き家具１を机等の用途に使用する際、この用途に応じた作業に用いられる平板部材である。天板２１の上面は、机としての天板付き家具１の机上面となる。この天板２１の上面には、例えば、書籍、文房具、パーソナルコンピュータ（パソコン）、タブレット端末や電子計算機等の各種物品が、天板付き家具１の用途に応じて適宜載置される。
【００２２】
脚体２２は、机本体２（延いては天板付き家具１）が床面に自立するための脚として機能するものである。本実施の形態において、脚体２２は、図４に示すように、天板２１等を協同して支持する右脚体２２ａと左脚体２２ｂとによって構成される。右脚体２２ａおよび左脚体２２ｂは、例えば図４に示すように、Ａ字形状の構造体であり、机本体２の幅方向Ｆ２に所定の間隔をあけて離間するように配置される。なお、右脚体２２ａおよび左脚体２２ｂは、Ａ字形状のものに限定されず、平板形状またはＨ字形状等、天板２１等を支持して床面に自立可能な形状のものであればよい。
【００２３】
これら右脚体２２ａおよび左脚体２２ｂの互いに対向する各内壁面には、引き出し支持体２４、幕板２５、および脚補強体２６が、右脚体２２ａと左脚体２２ｂとに挟まれるように接合される。この際、引き出し支持体２４、幕板２５、および脚補強体２６は、図４に示すように、右脚体２２ａおよび左脚体２２ｂの各内壁面に設けられた複数の接合金具に嵌め込まれ、ねじ止め等されて、右脚体２２ａおよび左脚体２２ｂに固定される。
【００２４】
また、右脚体２２ａおよび左脚体２２ｂの各内壁面間に接合された引き出し支持体２４の上面には、天板２１の下面に固定された状態の引き出しユニット２３が配置される。引き出しユニット２３は、引き出し支持体２４によって支持された状態で、ねじ止め等により、右脚体２２ａおよび左脚体２２ｂの各内壁面に固定される。この引き出しユニット２３の接合に伴い、右脚体２２ａおよび左脚体２２ｂの各上端部には、天板２１の幅方向Ｆ２における両端部の各下面が各々載置される。この構造により、右脚体２２ａおよび左脚体２２ｂは、自身の各上端部に天板２１を受けて支持する。右脚体２２ａおよび左脚体２２ｂからなる脚体２２は、上述した状態を維持しながら、机本体２の起立方向Ｆ３の上方に天板２１の上面を向けて自立する。
【００２５】
引き出し支持体２４は、引き出しユニット２３の支持面を有し且つ机本体２の背面の一部をなす側面視Ｌ字形状の構造体である。図４に示すように、引き出し支持体２４は、右脚体２２ａおよび左脚体２２ｂの各内壁面のうち、起立方向Ｆ３の上側且つ奥行方向Ｆ１の奥側の部位に固定される。引き出し支持体２４は、右脚体２２ａおよび左脚体２２ｂに挟まれ固定された状態で、上述した引き出しユニット２３を支持する。
【００２６】
幕板２５は、机本体２の背面の一部をなす平板部材である。図４に示すように、幕板２５は、右脚体２２ａおよび左脚体２２ｂの各内壁面のうち、奥行方向Ｆ１の奥側であって引き出し支持体２４の下面よりも起立方向Ｆ３の下側の部位に固定される。この際、幕板２５の上端部と引き出し支持体２４の下端部との間には、所定の間隙が形成される。このような幕板２５は、天板付き家具１が第２机状態（図２参照）である場合、棚本体３の物品収容空間１３の底面よりも起立方向Ｆ３の上側に突出して、この物品収容空間１３の開口の下側一部分を遮蔽する遮蔽部として機能する。
【００２７】
脚補強体２６は、側面視Ｌ字形状の構造体であり、図４に示すように、右脚体２２ａおよび左脚体２２ｂの各内壁面のうち、奥行方向Ｆ１の奥側であって幕板２５の下端部よりも起立方向Ｆ３の下側の部位に固定される。脚補強体２６は、上述した引き出し支持体２４等と協同して、脚体２２の強度、特に幅方向Ｆ２の強度を補強する。
【００２８】
また、机本体２は、図３に示したように、脚体２２の上端部のうち奥行方向Ｆ１の奥側に、棚本体３における第１の係合部または第２の係合部と着脱可能に係合される被係合部２０ａ，２０ｂを備える。
【００２９】
本実施の形態において、幅方向Ｆ２の右側の被係合部２０ａは、図４に示す天板２１の奥行方向Ｆ１の奥端部２１ａと右脚体２２ａの奥上端部２２ｃとを備える。奥上端部２２ｃは、右脚体２２ａの上端部のうち、奥行方向Ｆ１の奥側、詳細には、天板２１の幅方向Ｆ２の右側下面を受けて支持する支持面よりも奥行方向Ｆ１の奥側の部分である。この奥上端部２２ｃには、図４に示すように、棚本体３の第１の係合部または第２の係合部と右脚体２２ａとを接合するための突起部２８ａおよび挿入孔２９ａが設けられる。このような奥上端部２２ｃと天板２１の奥端部２１ａとを互いに連続した構造とすることにより、天板２１の上面から起立方向Ｆ３（詳細には天板２１の厚さ方向）に凹む段差状の被係合部２０ａが形成される。
【００３０】
一方、幅方向Ｆ２の左側の被係合部２０ｂは、図４に示す天板２１の奥端部２１ａと左脚体２２ｂの奥上端部２２ｄとを備える。奥上端部２２ｄは、左脚体２２ｂの上端部のうち、奥行方向Ｆ１の奥側、詳細には、天板２１の幅方向Ｆ２の左側下面を受けて支持する支持面よりも奥行方向Ｆ１の奥側の部分である。この奥上端部２２ｄには、図４に示すように、棚本体３の第１の係合部または第２の係合部と左脚体２２ｂとを接合するための突起部２８ｂおよび挿入孔２９ｂが設けられる。このような奥上端部２２ｄと天板２１の奥端部２１ａとを互いに連続した構造とすることにより、天板２１の上面から起立方向Ｆ３に凹む段差状の被係合部２０ｂが形成される。
【００３１】
このような左右一対の被係合部２０ａ，２０ｂ（図３参照）は、天板付き家具１が第１机状態（図１参照）である場合、棚本体３の第１の係合部と着脱可能に係合され、天板付き家具１が第２机状態（図２参照）である場合、棚本体３の第２の係合部と着脱可能に係合される。このようにして、被係合部２０ａ，２０ｂは、上述した天板付き家具１の第１机状態と第２机状態とが択一的に選択されるよう、棚本体３を起立方向Ｆ３に受けて着脱可能に支持する。
【００３２】
（棚本体の構成）
つぎに、本実施の形態における棚本体３の構成について説明する。図５は、本発明の実施の形態における棚本体の一構成例を示す正面図である。図６は、本発明の実施の形態における棚本体の一構成例を示す側面図である。図７は、本発明の実施の形態における棚本体の一構成例を示す下面図である。図５〜７に示すように、本実施の形態における棚本体３は、互いに奥行寸法が異なる下棚板３１および上棚板３２と、これらの下棚板３１と上棚板３２とを上下に離間した状態で連結する側板３３と、棚本体３の背面をなす背板３４と、上棚板３２による物品収容空間を仕切る複数の仕切り体３５とを備える。
【００３３】
下棚板３１は、棚本体３が形成する上下２段の物品収容空間のうち下段の物品収容空間１３の底面をなす棚板である。具体的には、図５，６に示すように、下棚板３１は、棚本体３の幅方向Ｆ２を長手とする平板部材であり、上棚板３２よりも起立方向Ｆ３の下側に位置する。また、下棚板３１は、上述した天板２１の奥行方向Ｆ１について、図３に示した被係合部２０ａ，２０ｂと同じ奥行寸法Ｄ１を有する。この下棚板３１の奥行寸法Ｄ１は、上棚板３２と異なる寸法であり、具体的には、図６に示すように、上棚板３２の奥行寸法Ｄ２よりも短い。また、下棚板３１の奥行寸法Ｄ１は、右側板３３ａおよび左側板３３ｂの各奥行寸法（すなわち各板幅）と同じである。一方、下棚板３１の幅方向Ｆ２の長さ（すなわち幅寸法）は、上述した天板２１に比して側板３３の厚み分、短い。
【００３４】
このような下棚板３１を底面とする物品収容空間１３は、図５に示すように、下棚板３１と上棚板３２と側板３３（詳細には右側板３３ａおよび左側板３３ｂ）と背板３４とによって囲まれて形成される空間である。物品収容空間１３は、図６に示すように、棚本体３の奥行方向Ｆ１の手前側に開口しており、この開口を通じ、物品を下棚板３１上に載置して収容することができる。また、この開口を通じ、下棚板３１上の収容物品を物品収容空間１３から取り出すことができる。
【００３５】
上棚板３２は、棚本体３が形成する上下２段の物品収容空間のうち上段の物品収容空間の底面をなす棚板である。具体的には、図５，６に示すように、上棚板３２は、棚本体３の幅方向Ｆ２を長手とする平板部材であり、下棚板３１よりも起立方向Ｆ３の上側に位置する。且つ、上棚板３２は、図６に示すように、奥行方向Ｆ１について下棚板３１よりも長い奥行寸法Ｄ２を有して、上述した被係合部２０ａ，２０ｂの奥行方向Ｆ１の寸法（すなわち奥行寸法Ｄ１）分、下棚板３１よりも奥行方向Ｆ１の手前側に延在する。
【００３６】
具体的には、上棚板３２は、図６に示すように、下棚板３１よりも奥行方向Ｆ１の手前側に延在する延在部３２ａと、下棚板３１と面対向する面対向部３２ｂとからなる。延在部３２ａの奥行寸法Ｄ３は、上述した被係合部２０ａ，２０ｂの支持面を形成する脚体２２の奥上端部２２ｃ，２２ｄの奥行寸法、すなわち下棚板３１の奥行寸法Ｄ１と同じである。面対向部３２ｂの奥行寸法は、この下棚板３１の奥行寸法Ｄ１と同じである。上棚板３２の奥行寸法Ｄ２は、延在部３２ａの奥行寸法Ｄ３と面対向部３２ｂの奥行寸法（＝Ｄ１）とを合算した寸法、すなわち、奥行寸法Ｄ１の２倍の寸法である。一方、上棚板３２の幅方向Ｆ２の長さ（すなわち幅寸法）は、上述した天板２１の幅寸法と同じである。
【００３７】
このような上棚板３２を底面とする物品収容空間が、棚本体３における上段の物品収容空間となる。この上段の物品収容空間は、起立方向Ｆ３の下側を除く略全域に亘り開放された空間であり、奥行方向Ｆ１の手前側等、所望の開放方向から物品を上棚板３２上に載置して収容することができる。また、所望の開放方向から、上棚板３２上の収容物品、すなわち上段の物品収容空間内の物品を取り出すことができる。以下、この上棚板３２を底面とする上段の物品収容空間は、「上棚板３２による物品収容空間」と適宜いう。
【００３８】
ここで、本実施の形態において、「寸法が同じ」とは、比較対象の寸法同士が同寸法である場合は勿論、比較対象の寸法同士の差が設計上の寸法公差内である場合も含める。すなわち、「寸法が異なる」とは、比較対象の寸法同士の差が設計上の寸法公差を超過する場合をいう。
【００３９】
側板３３は、上述した下棚板３１と上棚板３２とを、互いに脚体２２（図１，２等参照）の起立方向Ｆ３に面対向して離間するように連結する連結部として機能する。具体的には、図５に示すように、側板３３は、棚本体３の幅方向Ｆ２の右側面をなす右側板３３ａと左側面をなす左側板３３ｂとによって構成される。右側板３３ａおよび左側板３３ｂは、互いに幅方向Ｆ２に対向する板状部材である。これら右側板３３ａおよび左側板３３ｂの起立方向Ｆ３の各下端部３３ｃ，３３ｄには、図５に示すように、下棚板３１の幅方向Ｆ２の各端部が、ねじ止め等によって各々接合される。これにより、下棚板３１は、右側板３３ａおよび左側板３３ｂの各下端部３３ｃ，３３ｄに挟まれるような状態で固定される。一方、右側板３３ａおよび左側板３３ｂの起立方向Ｆ３の各上端面には、図５に示すように、上棚板３２の幅方向Ｆ２の各端部が、ねじ止め等によって各々接合される。これにより、上棚板３２は、右側板３３ａおよび左側板３３ｂの各上端面に支持されるような状態で固定される。
【００４０】
上述したような固定構造により、右側板３３ａおよび左側板３３ｂは、下棚板３１の幅方向Ｆ２の各端部と上棚板３２の幅方向Ｆ２の各端部とを各々連結する。これら右側板３３ａおよび左側板３３ｂによって連結された下棚板３１および上棚板３２は、図５に示すように、互いに起立方向Ｆ３に面対向して離間した状態、望ましくは、互いに平行をなして起立方向Ｆ３に離間した状態になる。
【００４１】
背板３４は、棚本体３の背面（奥行方向Ｆ１の奥端面）をなす板状部材である。具体的には、図５〜７に示すように、背板３４は、下棚板３１における奥行方向Ｆ１の奥端部と、上棚板３２における奥行方向Ｆ１の奥端部と、右側板３３ａにおける奥行方向Ｆ１の奥端部と、左側板３３ｂにおける奥行方向Ｆ１の奥端部とに、ねじ止め等によって固定される。これにより、背板３４は、これら下棚板３１、上棚板３２、右側板３３ａ、および左側板３３ｂの奥行方向Ｆ１の各奥端部同士を連結して、下棚板３１と上棚板３２と右側板３３ａと左側板３３ｂとによる矩形の接合構造の強度を補強する。これと同時に、背板３４は、右側板３３ａおよび左側板３３ｂの各下端部３３ｃ，３３ｄの位置（すなわち第１の係合部の位置）から上棚板３２の位置（すなわち第２の係合部の位置）に亘って、物品収容空間１３の奥行方向Ｆ１の奥側を閉じる。
【００４２】
また、背板３４には、図５，６に示すように、物品収容空間１３と棚本体３の背面外側とを通じる開口部３４ａが設けられる。本実施の形態において、開口部３４ａは、図５に示すように、背板３４の幅方向Ｆ２の各端部近傍に１つずつ（合計２つ）形成されるが、本発明において、背板３４における開口部３４ａの形成部位および形成数は、特に問われない。一方、背板３４における奥行方向Ｆ１の手前側の面（前面）のうち、上棚板３２の幅方向Ｆ２の中央部下面に相当する部位には、図５に示すように、棚補強板３０が固定配置されている。棚補強板３０は、上棚板３２の幅方向Ｆ２の中央部位を支持し、これにより、上棚板３２の強度を補強して上棚板３２の撓み等の変形を防止する。
【００４３】
さらに、背板３４は、図５，６に示すように、上棚板３２よりも起立方向Ｆ３の上側に突出する背板上部３４ｂを有する。背板上部３４ｂは、背板３４における起立方向Ｆ３の上側の端部（上端部）である。ここで、上棚板３２は、本実施の形態における棚本体３の上下２段の棚板（下棚板３１および上棚板３２）のうち起立方向Ｆ３の上側に位置する棚板である。背板上部３４ｂは、上棚板３２の幅方向Ｆ２の全域に亘り、上棚板３２の上面よりも上方に突出する。このような構造の背板上部３４ｂは、上棚板３２の上面に載置された物品が奥行方向Ｆ１の奥側へ落下することを防止する。
【００４４】
仕切り体３５は、上棚板３２による物品収容空間を上棚板３２の幅方向Ｆ２に沿って仕切る板状の構造体である。図５，６に示すように、仕切り体３５は、上棚板３２の上面のうち奥行方向Ｆ１の奥側に配置され、上棚板３２または背板３４に対し、幅方向Ｆ２に摺動可能且つ着脱可能に取り付けられる。このような仕切り体３５は、上棚板３２の幅方向Ｆ２に沿ってスライド可能であり、幅方向Ｆ２に沿ったスライドによって位置調整される。この結果、仕切り体３５は、例えば図５に示すように、上棚板３２による物品収容空間を、幅方向Ｆ２に並ぶ複数の物品収容空間に分ける。
【００４５】
なお、本実施の形態において、仕切り体３５は、図５等に示すように、上棚板３２の上面に３つ配置しているが、本発明において、仕切り体３５の配置数は、特に問われない。また、仕切り体３５は、天板付き家具１の用途に応じ、上棚板３２または背板３４から取り外されてもよい。すなわち、仕切り体３５は、棚本体３に配置されていなくてもよい。
【００４６】
ここで、天板付き家具１を第１机状態にすべく棚本体３を机本体２に取り付ける場合、机本体２の被係合部２０ａ，２０ｂ（図３参照）には、棚本体３の側板３３の所定部位、詳細には、右側板３３ａおよび左側板３３ｂの各下端部３３ｃ，３３ｄが各々係合する。すなわち、右側板３３ａおよび左側板３３ｂの各下端部３３ｃ，３３ｄは、天板付き家具１が第１机状態である場合に被係合部２０ａ，２０ｂと各々係合する第１の係合部として機能する。このような第１の係合部としての側板３３の下端部３３ｃ，３３ｄは、起立方向Ｆ３を上下方向とする物品収容空間１３の下側に位置し、各々、被係合部２０ａ，２０ｂに係合した状態で、脚体２２の奥上端部２２ｃ，２２ｄに着脱可能に支持され、固定される。すなわち、図７に示すように、棚本体３は、第１の係合部としての右側板３３ａおよび左側板３３ｂの各下端部３３ｃ，３３ｄの下面に、机本体２と棚本体３との接合構造として、嵌合孔３６ａ，３６ｂおよび挿入孔３７ａ，３７ｂを備える。
【００４７】
嵌合孔３６ａおよび挿入孔３７ａは、図７に示すように、右側板３３ａの下端面すなわち下端部３３ｃの下面に必要数（例えば１つまたは２つ）形成される。嵌合孔３６ａは、被係合部２０ａの奥上端部２２ｃに形成された突起部２８ａを嵌め入れることが可能な孔である。挿入孔３７ａは、机本体２と棚本体３とを接合するための棒状の接合金具（図示せず）を挿入する孔である。一方、嵌合孔３６ｂおよび挿入孔３７ｂは、図７に示すように、左側板３３ｂの下端面すなわち下端部３３ｄの下面に必要数（例えば１つまたは２つ）形成される。嵌合孔３６ｂは、被係合部２０ｂの奥上端部２２ｄに形成された突起部２８ｂを嵌め入れることが可能な孔である。挿入孔３７ｂは、机本体２と棚本体３とを接合するための棒状の接合金具（図示せず）を挿入する孔である。
【００４８】
一方、天板付き家具１を第２机状態にすべく棚本体３を机本体２に取り付ける場合、机本体２の被係合部２０ａ，２０ｂ（図３参照）には、棚本体３の上棚板３２の所定部位、詳細には、延在部３２ａの幅方向Ｆ２の各端部が各々係合する。すなわち、上棚板３２の延在部３２ａは、天板付き家具１が第２机状態である場合に被係合部２０ａ，２０ｂと係合する第２の係合部として機能する。このような第２の係合部としての上棚板３２は、物品収容空間１３の上側に位置し、延在部３２ａの幅方向Ｆ２の各端部を被係合部２０ａ，２０ｂに各々係合させた状態で、脚体２２の奥上端部２２ｃ，２２ｄに着脱可能に支持され、固定される。すなわち、図７に示すように、棚本体３は、第２の係合部としての上棚板３２の延在部３２ａの下面に、机本体２と棚本体３との接合構造として、嵌合孔３８ａ，３８ｂおよび挿入孔３９ａ，３９ｂを備える。
【００４９】
嵌合孔３８ａおよび挿入孔３９ａは、図７に示すように、上棚板３２の延在部３２ａにおける幅方向Ｆ２の右側の端部下面に必要数（例えば１つまたは２つ）形成される。嵌合孔３８ａは、上述した突起部２８ａを嵌め入れることが可能な孔である。挿入孔３９ａは、上述した棒状の接合金具（図示せず）を挿入する孔である。一方、嵌合孔３８ｂおよび挿入孔３９ｂは、図７に示すように、上棚板３２の延在部３２ａにおける幅方向Ｆ２の左側の端部下面に必要数（例えば１つまたは２つ）形成される。嵌合孔３８ｂは、上述した突起部２８ｂを嵌め入れることが可能な孔である。挿入孔３９ｂは、上述した棒状の接合金具（図示せず）を挿入する孔である。
【００５０】
なお、本実施の形態において、天板付き家具１の奥行方向Ｆ１、幅方向Ｆ２、および起立方向Ｆ３は、図１〜３に示すように定義される。すなわち、天板付き家具１の奥行方向Ｆ１は、机等として天板付き家具１を使用する使用者（図示せず）が椅子に座る等して天板付き家具１（詳細には机本体２）に向かう方向である。この奥行方向Ｆ１は、机本体２の脚体２２をなす右脚体２２ａと左脚体２２ｂとの対向方向と、天板２１に直交する方向（天板２１の上面の法線方向）との双方に対して垂直である。天板付き家具１の幅方向Ｆ２は、右脚体２２ａと左脚体２２ｂとの対向方向に対して平行な方向であり、且つ、天板２１に直交する方向に対して垂直な方向である。天板付き家具１の起立方向Ｆ３は、床面に起立した状態の天板付き家具１（詳細には机本体２）の上下方向であり、上述した奥行方向Ｆ１および幅方向Ｆ２に対して垂直である。
【００５１】
上述の奥行方向Ｆ１、幅方向Ｆ２、および起立方向Ｆ３は、天板付き家具１を構成する机本体２および棚本体３についても同様である。すなわち、図４〜７に示すように、上述の奥行方向Ｆ１、幅方向Ｆ２、および起立方向Ｆ３は、机本体２を構成する天板２１等の各構成部、および棚本体３を構成する下棚板３１等の各構成部についても同様である。
【００５２】
（天板付き家具の第１机状態）
つぎに、本発明の実施の形態にかかる天板付き家具１の第１机状態について説明する。図８は、本発明の実施の形態にかかる天板付き家具の第１机状態の一例を示す正面図である。図９は、図８に示す第１机状態の天板付き家具のＡ−Ａ線断面図である。
【００５３】
図８，９に示すように、天板付き家具１の第１机状態において、棚本体３の物品収容空間１３は、机本体２の天板２１よりも起立方向Ｆ３の上側に位置し、且つ、天板２１の奥行方向の奥側から手前側に向かって開口した状態になる。本実施の形態において、「物品収容空間１３が天板２１よりも起立方向Ｆ３の上側に位置する」とは、物品収容空間１３の全体が天板２１の下面よりも起立方向Ｆ３の上側に位置することと定義される。詳細には、この第１机状態において、脚体２２を構成する右脚体２２ａおよび左脚体２２ｂは、天板２１の下面を支持し、且つ、図３に示した被係合部２０ａ，２０ｂに側板３３の各下端部３３ｃ，３３ｄ（図５参照）を各々係合させた状態の棚本体３を、この天板２１よりも奥行方向Ｆ１の奥側において支持している。この際、下棚板３１、右側板３３ａ、および左側板３３ｂの各奥行寸法（図６に示す奥行寸法Ｄ１参照）が被係合部２０ａ，２０ｂの奥行寸法（詳細には脚体２２の奥上端部２２ｃ，２２ｄの各奥行寸法）と同じである故に、下棚板３１、右側板３３ａ、および左側板３３ｂの奥行方向Ｆ１の各手前端部は、天板２１の幅方向Ｆ２の全域に亘り、天板２１の奥端部２１ａ（図４参照）と当接している。この結果、下棚板３１の上面は、天板２１の上面に連続した状態（すなわち面一の状態）となる。
【００５４】
このような第１机状態においては、図９に示すように、物品収容空間１３の底面をなす下棚板３１（詳細には下棚板３１の上面）の床面からの高さＨ１は、天板２１と同じ寸法である。物品収容空間１３の上面（すなわち上棚板３２の下面）の床面からの高さＨ２は、天板２１の上面よりも高い。また、棚本体３における上段の物品収容空間の底面をなす上棚板３２（詳細には上棚板３２の上面）の床面からの高さＨ３は、下段の物品収容空間１３の上面よりも高い。以上の結果、第１机状態における天板付き家具１の高さＨ４は、図９に示すように、天板２１の高さと天板２１からの棚本体３の高さとを合算した寸法になる。本実施の形態において、上述した高さＨ１〜Ｈ４のうちの高さＨ１〜Ｈ３が、第１机状態の天板付き家具１内における棚高さを示す数値である。
【００５５】
上述したように天板２１よりも上側に位置する物品収容空間１３の下棚板３１上には、奥行方向Ｆ１の手前側から天板２１越しに、物品を容易に載置して収容でき、且つ、天板２１越しでの収容物品の取り出し並びに天板２１との間での物品の出し入れが可能である。なお、第１机状態における物品収容空間１３の下棚板３１上には、書籍、文房具、パソコン等の電気機器に例示される各種物品が載置（収容）可能である。例えば、下棚板３１上に電気機器を載置した場合、この電気機器に電力を供給する電源用コード等のコード類は、図８，９に示す背板３４の開口部３４ａを介して配線することができる。
【００５６】
一方、上述した第１机状態において、天板２１よりも起立方向Ｆ３の上側には、図８，９に示すように、上棚板３２が配置される。この上棚板３２は、第１机状態において、棚本体３の上段の物品収容空間（上棚板３２による物品収容空間）の底面をなすとともに、この上段の物品収容空間を、天板２１に比して起立方向Ｆ３の上側に形成する。すなわち、上述したように第１机状態において天板２１の上側に位置する物品収容空間１３の上方空間は、上棚板３２による物品収容空間として有効活用される。このような上段の物品収容空間の上棚板３２上には、奥行方向Ｆ１の手前側等の所望の方向から物品を容易に載置して収容でき、収容物品を容易に取り出すことができ、且つ、天板２１や下段の物品収容空間１３との間での物品の出し入れが可能である。
【００５７】
なお、第１机状態における上棚板３２上には、比較的背高な辞典等の書籍や照明装置等の電気機器に例示される各種物品が載置（収容）可能である。例えば、上棚板３２上に電気機器を載置した場合、この電気機器に電力を供給するコード類は、図８，９に示す背板３４の開口部３４ａを介して配線することができる。また、上棚板３２による物品収容空間は、この上棚板３２上の物品の寸法や載置数等に応じて、仕切り体３５により、適宜画定可能である。さらに、この上棚板３２上の物品の落下は、背板３４の上部すなわち背板上部３４ｂによって防止可能である。
【００５８】
他方、上述した第１机状態において、天板付き家具１の机上面は、天板２１の上面によって形成される。ここで、机上面は、天板付き家具１の机として使用可能な面である。すなわち、この第１机状態における机上面の奥行寸法は、天板２１の奥行寸法と同じになり、この机上面の面積は、天板２１の上面の面積と同じになる。
【００５９】
また、上述した第１机状態において、引き出しユニット２３は、奥行方向Ｆ１に出没可能であり、物品を出し入れ可能に収容する。机本体２の左右両側のフック２７は、物品を取り出し可能に吊り下げる。また、引き出し支持体２４は、その上端面によって下棚板３１の下面を起立方向Ｆ３に受け、これにより、被係合部２０ａ，２０ｂによる棚本体３の支持を支援する。幕板２５は、図８，９に示すように、引き出し支持体２４と脚補強体２６との間に取り付けられて、机本体２の背面の一部を遮蔽するとともに、下棚板３１の幅方向Ｆ２の全域に亘り、引き出し支持体２４との間に間隙５を形成する。
【００６０】
（天板付き家具の第２机状態）
つぎに、本発明の実施の形態にかかる天板付き家具１の第２机状態について説明する。図１０は、本発明の実施の形態にかかる天板付き家具の第２机状態の一例を示す正面図である。図１１は、図１０に示す第２机状態の天板付き家具のＢ−Ｂ線断面図である。
【００６１】
図１０，１１に示すように、天板付き家具１の第２机状態において、棚本体３の物品収容空間１３は、机本体２の天板２１よりも起立方向Ｆ３の下側に位置し、且つ、天板２１の奥行方向の奥側から手前側に向かって開口した状態になる。本実施の形態において、「物品収容空間１３が天板２１よりも起立方向Ｆ３の下側に位置する」とは、物品収容空間１３の全体が天板２１の上面よりも起立方向Ｆ３の下側に位置することと定義される。詳細には、この第２机状態において、脚体２２を構成する右脚体２２ａおよび左脚体２２ｂは、天板２１の下面を支持し、且つ、図３に示した被係合部２０ａ，２０ｂに上棚板３２の延在部３２ａの下端部（幅方向Ｆ２の各端部下面）を係合させた状態の棚本体３を、この天板２１よりも奥行方向Ｆ１の奥側において支持している。この際、延在部３２ａの奥行寸法（図６に示す奥行寸法Ｄ３参照）が被係合部２０ａ，２０ｂの奥行寸法と同じである故に、上棚板３２の奥行方向Ｆ１の手前端部は、天板２１の幅方向Ｆ２の全域に亘り、天板２１の奥端部２１ａ（図４参照）と当接している。この結果、上棚板３２の延在部３２ａおよび面対向部３２ｂの各上面は、天板２１の上面に連続した状態（すなわち面一の状態）となる。
【００６２】
このような第２机状態においては、図１１に示すように、物品収容空間１３の底面をなす下棚板３１（詳細には下棚板３１の上面）の床面からの高さＨ５は、天板２１の下面の高さよりも低い。物品収容空間１３の上面（すなわち上棚板３２の下面）の床面からの高さＨ６は、天板２１（詳細には天板２１の上面）よりも低い。また、上棚板３２（詳細には上棚板３２の上面）の床面からの高さＨ７は、天板２１と同じ寸法であり、物品収容空間１３よりも高い。以上の結果、物品収容空間１３の底面および上面の各高さＨ５，Ｈ６は、上述した第１机状態における物品収容空間１３の高さＨ１，Ｈ２に比して各々低くなる。且つ、上段の物品収容空間の底面をなす上棚板３２の高さＨ７は、上述した第１机状態における上棚板３２の高さＨ３に比して低くなる。これらに伴い、第２机状態における天板付き家具１の高さＨ８は、図１１に示すように、上述した第１机状態における天板付き家具１の高さＨ４に比して低く調節される。本実施の形態において、上述した高さＨ５〜Ｈ８のうちの高さＨ５〜Ｈ７が、第２机状態の天板付き家具１内における棚高さを示す数値である。
【００６３】
上述したように天板２１よりも下側に位置する物品収容空間１３の下棚板３１上には、奥行方向Ｆ１の手前側から、引き出し支持体２４と幕板２５との間隙５を通じて、物品を容易に載置して収容でき、且つ、この間隙５を介した収容物品の取り出し、取扱い、並びに天板２１との間での物品の出し入れが可能である。
【００６４】
ここで、第２机状態における物品収容空間１３の下棚板３１上には、書籍や文房具等の各種物品が載置（収容）可能である。特に、図１０，１１に示すように、この下棚板３１は、例えば天板付き家具１の机上面に載置された電気機器に電力を供給する電源用コード等のコード類６を収容する棚板として好適である。すなわち、第２机状態における物品収容空間１３は、その用途の一例として、コード類６を配線するための配線ダクトとして活用可能である。なお、物品収容空間１３内のコード類６は、図１０，１１に示す背板３４の開口部３４ａを介して配線することができる。このようにして、第２机状態においては、天板２１よりも起立方向Ｆ３の下側に形成される棚本体３の空間が、上述した天板下方側の物品収容棚や配線ダクトに好適な物品収容空間１３として有効活用される。
【００６５】
一方、上述した第２机状態において、天板付き家具１の机上面は、図１１に示すように、天板２１および延在部３２ａの各上面によって形成される。この際、第２机状態における机上面の奥行寸法は、天板２１の奥行寸法に延在部３２ａの奥行寸法を加えた寸法になる。このように奥行寸法が拡張された机上面の面積は、天板２１の上面の面積と延在部３２ａの上面の面積とを合算したものになる。すなわち、第２机状態において、上棚板３２のうち延在部３２ａは、天板２１を奥行方向Ｆ１の奥側に拡張する補助天板として活用される。この結果、机上面の面積は、上述した第１机状態に比して、延在部３２ａの面積分、拡張される。
【００６６】
また、第２机状態において、上棚板３２のうち面対向部３２ｂの上面は、棚本体３の上段の物品収容空間の底面をなすとともに、延在部３２ａを介して天板２１の上面に連続する。このような上棚板３２の面対向部３２ｂは、奥行方向Ｆ１の手前側から天板２１越しに、物品を容易に載置して収容でき、且つ、天板２１越しでの収容物品の取り出し並びに天板２１との間での物品の出し入れが可能な物品収容棚として機能する。
【００６７】
上述した第２机状態における上棚板３２の面対向部３２ｂ上には、書籍、文房具、パソコンや照明装置等の電気機器に例示される各種物品が載置可能である。例えば、面対向部３２ｂ上に載置された電気機器に電力を供給するコード類６は、図１０，１１に示す背板３４の開口部３４ａを介して配線することができる。また、面対向部３２ｂを底面とする物品収容空間は、この面対向部３２ｂ上の物品の寸法や載置数等に応じて、仕切り体３５により、適宜画定可能である。さらに、この面対向部３２ｂ上の物品の落下は、背板上部３４ｂによって防止可能である。
【００６８】
一方、幕板２５は、図１０，１１に示すように、第２机状態において、下棚板３１による物品収容空間１３に通じる間隙５を確保するとともに、この下棚板３１の上面よりも起立方向Ｆ３の上側に突出する。これにより、幕板２５は、物品収容空間１３の開口の下側一部分を遮蔽する。このような幕板２５は、間隙５を介した物品収容空間１３内への物品の収容および物品収容空間１３内からの物品の取り出しを阻害せずに、下棚板３１上の物品の落下を防止する。なお、幕板２５は、第２机状態においても、上述した第１机状態の場合と同様に机本体２の背面の一部を遮蔽する。
【００６９】
他方、上述した第２机状態において、引き出しユニット２３およびフック２７の各機能は、上述した第１机状態の場合と同様である。引き出し支持体２４は、その上端面によって上棚板３２の下面を起立方向Ｆ３に受け、これにより、被係合部２０ａ，２０ｂによる棚本体３の支持を支援する。
【００７０】
（天板付き家具の机本体と棚本体との組替作業）
つぎに、本発明の実施の形態にかかる天板付き家具１の机本体２と棚本体３との組替作業について説明する。天板付き家具１は、机本体２および棚本体３（図３参照）の組替作業によって、上述した第１机状態（図１参照）または第２机状態（図２参照）に切り替えられる。図１２は、組替作業時の机本体と棚本体との接合を説明する図である。以下では、図１〜３および図１２を参照しつつ、第１机状態の天板付き家具１を第２机状態に組み替え、その後、第２机状態の天板付き家具１を第１机状態に組み替える場合を例示して、天板付き家具１の机本体２と棚本体３との組替作業を説明する。
【００７１】
まず、第１机状態の天板付き家具１を第２机状態に組み替える際、使用者は、第１机状態の天板付き家具１において、机本体２と棚本体３との固定状態を解除し、ついで、固定状態が解除された棚本体３を持ち上げて、図３に示すように、机本体２の被係合部２０ａ，２０ｂから、棚本体３を取り外す。この際、使用者は、図１２に示すように、接合ねじ１６を緩める等して、右脚体２２ａの被係合部２０ａから棚本体３の右側板３３ａ（詳細には、その下端部３３ｃ）を取り外す。特に図示しないが、使用者は、これと同様の作業を、机本体２の被係合部２０ｂおよび棚本体３の左側板３３ｂの下端部３３ｄについても行う。
【００７２】
続いて、使用者は、図１２に示すように右側板３３ａの挿入孔３７ａに取り付けられている接合金具１５を、上棚板３２の延在部３２ａにおける挿入孔３９ａ内に付け替える。また、使用者は、左側板３３ｂの挿入孔３７ｂ内に差し込まれている接合金具１５（図示せず）についても同様に、延在部３２ａの挿入孔３９ｂ内に付け替える。
【００７３】
つぎに、使用者は、上棚板３２の下面を机本体２の被係合部２０ａ，２０ｂに近接させ、延在部３２ａの幅方向Ｆ２の各端部下面を、各々、被係合部２０ａ，２０ｂに係合して取り付ける。この際、使用者は、右脚体２２ａの奥上端部２２ｃの各突起部２８ａを延在部３２ａの各嵌合孔３８ａに各々嵌め込むとともに、延在部３２ａの挿入孔３９ａから突出した接合金具１５の部分を、この奥上端部２２ｃの挿入孔２９ａ内に差し込む。これにより、延在部３２ａの幅方向Ｆ２の右端部（第１の係合部の一つ）を、天板２１の奥端部２１ａと右脚体２２ａの奥上端部２２ｃとによる側面視Ｌ字状の被係合部２０ａに係合する。これと同時に、使用者は、左脚体２２ｂの奥上端部２２ｄの各突起部２８ｂを延在部３２ａの各嵌合孔３８ｂに各々嵌め込むとともに、延在部３２ａの挿入孔３９ｂから突出した接合金具１５の部分を、この奥上端部２２ｄの挿入孔２９ｂ内に差し込む。これにより、延在部３２ａの幅方向Ｆ２の左端部（第１の係合部の一つ）を、天板２１の奥端部２１ａと左脚体２２ｂの奥上端部２２ｄとによる側面視Ｌ字状の被係合部２０ｂに係合する。
【００７４】
その後、使用者は、これらの挿入孔２９ａ，２９ｂ内に差し込んだ各接合金具１５を、接合ねじ１６を締める等して各々ねじ止めする。この結果、上棚板３２は、延在部３２ａの下面が被係合部２０ａ，２０ｂおよび引き出し支持体２４に支持されるよう、机本体２に取り付けられて固定される。このようにして、使用者は、天板付き家具１を、図１に示す第１机状態から図２に示す第２机状態に組み替える。
【００７５】
一方、第２机状態の天板付き家具１を第１机状態に組み替える際、使用者は、上述した第１机状態から第２机状態への組替作業とは逆の組替作業を行う。これにより、使用者は、右側板３３ａおよび左側板３３ｂの起立方向Ｆ３の各下端部３３ｃ，３３ｄを、各々、図３に示す机本体２の被係合部２０ａ，２０ｂに係合して取り付ける。この際、使用者は、右脚体２２ａの奥上端部２２ｃの各突起部２８ａを右側板３３ａの各嵌合孔３６ａに各々嵌め込むとともに、右側板３３ａの挿入孔３７ａから突出した接合金具１５の部分を、この奥上端部２２ｃの挿入孔２９ａ内に差し込む（図１２参照）。これにより、右側板３３ａの下端部３３ｃ（第２の係合部の一つ）を、天板２１の奥端部２１ａと右脚体２２ａの奥上端部２２ｃとによる側面視Ｌ字状の被係合部２０ａに係合する。これと同時に、使用者は、左脚体２２ｂの奥上端部２２ｄの各突起部２８ｂを左側板３３ｂの各嵌合孔３６ｂに各々嵌め込むとともに、左側板３３ｂの挿入孔３７ｂから突出した接合金具１５の部分を、この奥上端部２２ｄの挿入孔２９ｂ内に差し込む。これにより、左側板３３ｂの下端部３３ｄ（第２の係合部の一つ）を、天板２１の奥端部２１ａと左脚体２２ｂの奥上端部２２ｄとによる側面視Ｌ字状の被係合部２０ｂに係合する。
【００７６】
その後、使用者は、これらの挿入孔２９ａ，２９ｂ内に差し込んだ各接合金具１５を、接合ねじ１６を締める等して各々ねじ止めする。この結果、右側板３３ａおよび左側板３３ｂは、下棚板３１の下面が引き出し支持体２４に支持されるよう、机本体２に取り付けられて固定される。このようにして、使用者は、天板付き家具１を、図２に示す第２机状態から図１に示す第１机状態に組み替える。
【００７７】
以上、説明したように、本発明の実施の形態では、脚体によって天板を支持しながら床面に起立する机本体と、物品を収容可能な物品収容空間を形成する棚本体と、を組み合わせてなる天板付き家具において、この物品収容空間の下側に位置する第１の係合部と、この物品収容空間の上側に位置する第２の係合部と、を棚本体に設け、第１の係合部の位置から第２の係合部の位置に亘り、この物品収容空間の奥行方向奥側を閉塞部によって閉じている。さらには、机本体における脚体および天板の奥行方向の奥側に被係合部を設け、物品収容空間が天板よりも起立方向の上側に位置し且つ天板の奥行方向の奥側から手前側に向かって開口する第１机状態の場合、この被係合部に上述の第１の係合部を着脱可能に係合し、物品収容空間が天板よりも起立方向の下側に位置し且つ天板の奥行方向の奥側から手前側に向かって開口する第２机状態の場合、この被係合部に上述の第２の係合部を着脱可能に係合し、これら第１の係合部または第２の係合部と被係合部との係合によって、上述した第１机状態と第２机状態とが択一的に選択されるように構成している。
【００７８】
このため、第１の係合部および第２の係合部に共通の被係合部に対し、第１の係合部または第２の係合部を択一的に係合する簡易な作業を行って、机本体と棚本体とを付け替えることにより、棚本体の物品収納空間の開口を開放状態に維持し且つ同開口の方向を天板の奥行方向に維持しながら、天板付き家具を第１机状態または第２机状態に簡易に組み替えることができる。これにより、物品収容空間が天板の上側に位置する第１机状態の場合は勿論、この物品収容空間が天板の下側に位置する第２机状態の場合であっても、この物品収容空間の物品を収容する機能を損なうことなく、天板に対する棚本体の高さを簡易に調節することができる。この結果、第１机状態または第２机状態のいずれであっても、棚本体の棚板を底面とする空間を物品収容空間として有効活用できる。特に、第２机状態では、天板よりも下側の物品収容空間を配線ダクト等として有効活用することができる。以上のことから、棚本体の物品収容空間を無駄にすることなく、天板付き家具内の棚高さを、高い状態から低い状態あるいは低い状態から高い状態へ簡易に調節することができる。
【００７９】
また、机本体の被係合部を、棚本体の第１の係合部および第２の係合部に共通な係合先としている。このため、棚本体の取り付けに必要な机本体の係合構造（接合構造）の加工工数を可能な限り減らすことができる。これに加え、第１の係合部および第２の係合部のいずれか一方が必ず被係合部に係合した状態にして、第１机状態または第２机状態の天板付き家具を使用することができる。このため、第１机状態または第２机状態のいずれにおいても、係合されていない非使用状態の被係合部が意図せず視認される事態を回避することができる。これにより、天板付き家具の外観体裁が損なわれず、この結果、天板付き家具の美観を確保することができる。
【００８０】
さらに、本発明の実施の形態では、天板付き家具が第２机状態である場合、天板の下側に位置する物品収容空間の底面よりも起立方向の上側に突出する遮蔽部（具体的には机本体の幕板）によって、この物品収容空間の開口の下側一部分を遮蔽している。故に、第２机状態において、天板よりも下側の物品収容空間内（具体的には、この物品収容空間の底面をなす下棚板上）に載置された物品が落下することを、この遮蔽部によって防止することができる。この結果、第２机状態における上述の物品収容空間を、特に配線ダクト等として便利に活用することができる。
【００８１】
また、本発明の実施の形態では、棚本体において、上述した物品収容空間の上側に形成される上段の物品収容空間の底面をなす上棚板を、第２の係合部として構成している。このため、天板付き家具の使用状態（第１机状態または第２机状態）に応じて天板よりも上側または下側に位置する物品収容空間の上方を上棚板によって閉塞するとともに、この上棚板を、物品を載置して収容可能な上段の棚板として活用することができる。このような上棚板を第２の係合部として用いることにより、机本体の被係合部に上棚板を係合した際、机本体に対する棚本体の係合面積および支持面積を増やすことができる。この結果、第２机状態において、机本体に対する棚本体の支持状態を一層安定化することができる。
【００８２】
さらに、本発明の実施の形態では、天板の上面から起立方向（具体的には天板の厚さ方向）に凹む段差状に被係合部を形成している。このため、被係合部の係合面が起立方向の上側（上方）に対して開放された状態となる。故に、第１の係合部および第２の係合部を、被係合部に対して上方から択一的に係合することができ、この結果、第１の係合部および第２の係合部と被係合部との択一的な係合を容易に行うことができる。この作用効果は、上述した上棚板に例示されるように、第１の係合部および第２の係合部の少なくとも一方が板形状のものである場合に顕著である。
【００８３】
また、本発明の実施の形態では、天板の奥端部と脚体の奥上端部とを用いて被係合部を構成している。このため、天板の奥端部を、脚体の奥上端部よりも奥行方向の手前側に位置させることにより、被係合部を形成することができる。この結果、天板に特別な加工を施す必要がなく、簡易に被係合部を実現することができる。
【００８４】
なお、上述した実施の形態では、上棚板３２の奥行寸法を下棚板３１よりも長くしていたが、本発明は、これに限定されるものではない。本発明において、上棚板３２の奥行寸法は、下棚板３１よりも短い奥行寸法であってもよいし、同じ奥行寸法であってもよい。この際、上棚板３２の奥行方向Ｆ１の手前に延在する所定形状（例えば奥行方向に長手な矩形棒状）の第２の係合部を設け、この所定形状をなす第２の係合部を被係合部２０ａ，２０ｂに係合してもよい。
【００８５】
また、上述した実施の形態では、脚体２２の奥上端部２２ｃ，２２ｄを用いて被係合部２０ａ，２０ｂを形成していたが、本発明は、これに限定されるものではない。本発明において、脚体２２の奥行方向Ｆ１の奥端部（後端部）に、脚体２２の奥行方向の奥側に突出する形状の被係合部を設けてもよい。
【００８６】
さらに、上述した実施の形態では、天板２１の上面から起立方向Ｆ３に凹む段差状の被係合部２０ａ，２０ｂを形成していたが、本発明は、これに限定されるものではない。本発明において、被係合部は、天板２１の奥端部２１ａから奥行方向Ｆ１の手前側に凹む凹形状のものであってもよいし、脚体２２の奥端部から奥行方向Ｆ１の手前側に凹む凹形状のものであってもよい。すなわち、机本体２は、脚体２２および天板２１の少なくとも一方の奥行方向の奥側に、所定形状の被係合部を備えていればよい。
【００８７】
また、上述した実施の形態では、上棚板３２を第２の係合部としていたが、本発明は、これに限定されるものではない。本発明において、第２の係合部は、板状のものに限定されず、奥行方向Ｆ１に長手となる矩形棒状のものであってもよい。この際、第２の係合部は、側面視Ｌ字状または凹形状の被係合部に載置または嵌め込む等して、被係合部に係合してもよい。
【００８８】
さらに、上述した実施の形態では、棚本体３の側板３３を第１の係合部としていたが、本発明は、これに限定されるものではない。本発明において、第１の係合部は、下棚板３１であってもよいし、板状のものに限定されず、奥行方向Ｆ１に長手となる矩形棒状のものであってもよい。この際、第１の係合部は、下棚板３１とは別の構造体として設けられてもよいし、側面視Ｌ字状または凹形状の被係合部に載置または嵌め込む等して、被係合部に係合してもよい。
【００８９】
また、上述した実施の形態では、脚体２２の奥上端部２２ｃ，２２ｄを備えた被係合部２０ａ，２０ｂを設けていたが、本発明は、これに限定されるものではない。本発明において、被係合部は、天板２１の上面に設けられ、第１の係合部および第２の係合部は、天板２１の上面に棚本体３が載置されるように、この被係合部に係合してもよい。
【００９０】
さらに、上述した実施の形態では、第２机状態の天板付き家具１において、上棚板３２が、被係合部２０ａ，２０ｂに支持され、着脱可能に固定されていたが、本発明は、これに限定されるものではない。天板付き家具１を第２机状態にする際、上棚板３２と被係合部２０ａ，２０ｂとの固定に加えて、棚本体３の側板３３（具体的には右側板３３ａおよび左側板３３ｂ）と脚体２２（具体的には右脚体２２ａおよび左脚体２２ｂ）とが着脱可能に固定されてもよい。この際、右脚体２２ａおよび左脚体２２ｂの奥行方向Ｆ１の各奥端部に、ねじ等によるフック部を設け、右側板３３ａおよび左側板３３ｂの奥行方向Ｆ１の各手前端部に、このフック部に係合する凹状の係合部を設け、フック部に係合部を着脱可能に係合することにより、脚体２２の奥端部に側板３３を掛けて接合してもよい。
【００９１】
あるいは、第２机状態の天板付き家具１において、被係合部２０ａ，２０ｂに右側板３３ａおよび左側板３３ｂの各下端部３３ｃ，３３ｄを着脱可能に固定する代わりに、被係合部２０ａ，２０ｂに下棚板３１の幅方向Ｆ２の各端部下面を着脱可能に固定してもよい。
【００９２】
また、上述した実施の形態では、上棚板３２が、被係合部２０ａ，２０ｂの奥行寸法分、下棚板３１よりも奥行方向Ｆ１の手前側に延在するようにして、上棚板３２の奥行寸法を下棚板３１の奥行寸法の２倍にしていたが、本発明は、これに限定されるものではない。本発明において、上棚板３２は、被係合部２０ａ、２０ｂに支持されるために必要な奥行寸法分、下棚板３１よりも奥行方向Ｆ１の手前側に延在するものであってもよいし、下棚板３１の奥行寸法は、被係合部２０ａ，２０ｂと異なる寸法であってもよい。この際、第１机状態において、天板２１と下棚板３１との間に間隙が形成されてもよいし、第２机状態において、天板２１と上棚板３２との間に間隙が形成されてもよい。
【００９３】
さらに、上述した実施の形態では、第１机状態において、天板２１の奥行方向Ｆ１の奥側に並ぶ下棚板３１を下段の物品収容棚として活用し、第２机状態において、天板２１の奥行方向Ｆ１の奥側に並ぶ上棚板３２のうち、延在部３２ａを補助天板として活用し、面対向部３２ｂを上段の物品収容棚として活用していたが、本発明は、これに限定されるものではない。第１机状態において、下棚板３１は、その全域に亘り天板として機能してもよく、この下棚板３１の全上面と机本体２の天板２１の全上面とを加えた全体の上面が、天板付き家具１の机上面として活用されてもよい。また、第２机状態において、上棚板３２は、その全域に亘り天板として機能してもよく、この上棚板３２の全上面と机本体２の天板２１の全上面とを加えた全体の上面が、天板付き家具１の机上面として活用されてもよい。
【００９４】
また、上述した実施の形態では、棚本体３において、背板３４の上部（背板上部３４ｂ）を上棚板３２の上面よりも上方に突出させ、この背板上部３４ｂによって上棚板３２からの物品落下を防止していたが、本発明は、これに限定されるものではない。上棚板３２の奥行方向Ｆ１の奥端部に、上方に向かい起立して上棚板３２の上面よりも上方に突出する起立部を設け、この起立部によって上棚板３２からの物品落下を防止してもよい。この場合、背板３４は、棚本体３に配置されていなくてもよい。
【００９５】
また、上述した実施の形態により本発明が限定されるものではなく、上述した各構成要素を適宜組み合わせて構成したものも本発明に含まれる。その他、上述した実施の形態に基づいて当業者等によりなされる他の実施の形態、実施例および運用技術等は全て本発明に含まれる。
【符号の説明】
【００９６】
１  天板付き家具
２  机本体
３  棚本体
５  間隙
６  コード類
１３  物品収容空間
１５  接合金具
１６  接合ねじ
２０ａ，２０ｂ  被係合部
２１  天板
２１ａ  奥端部
２２  脚体
２２ａ  右脚体
２２ｂ  左脚体
２２ｃ，２２ｄ  奥上端部
２３  引き出しユニット
２４  引き出し支持体
２５  幕板
２６  脚補強体
２７  フック
２８ａ，２８ｂ  突起部
２９ａ，２９ｂ  挿入孔
３０  棚補強板
３１  下棚板
３２  上棚板
３２ａ  延在部
３２ｂ  面対向部
３３  側板
３３ａ  右側板
３３ｂ  左側板
３３ｃ，３３ｄ  下端部
３４  背板
３４ａ  開口部
３４ｂ  背板上部
３５  仕切り体
３６ａ，３６ｂ，３８ａ，３８ｂ  嵌合孔
３７ａ，３７ｂ，３９ａ，３９ｂ  挿入孔
Ｆ１  奥行方向
Ｆ２  幅方向
Ｆ３  起立方向
【図１】
0006422374.tif 000002
【図２】
0006422374.tif 000003
【図３】
0006422374.tif 000004
【図４】
0006422374.tif 000005
【図５】
0006422374.tif 000006
【図６】
0006422374.tif 000007
【図７】
0006422374.tif 000008
【図８】
0006422374.tif 000009
【図９】
0006422374.tif 000010
【図１０】
0006422374.tif 000011
【図１１】
0006422374.tif 000012
【図１２】
0006422374.tif 000013